(57)【特許請求の範囲】
【請求項１】
電池と、充電インターフェースとを含み、前記充電インターフェースを介して、電源アダプターと充電回路を形成し、前記電池に対して充電を行う端末であって、
前記充電インターフェースは、ＵＳＢインターフェースであり、 
前記端末は、通信ユニットと、検出ユニットと、異常処理ユニットとを更に含み、
前記通信ユニットは、前記電源アダプターが前記端末に対して充電する場合、前記ＵＳＢインターフェースにおけるデータケーブルと前記電源アダプターとの通信に基づいて、前記電源アダプターから電圧指示情報を受信するのに用いられ、前記電圧指示情報は、前記電源アダプターの出力電圧を指示し、
前記検出ユニットは、前記電池に接続され、前記電源アダプターの出力電圧により前記端末の電池に印加された入力電圧を検出するのに用いられ、
前記異常処理ユニットは、前記入力電圧と前記出力電圧との差値に基づいて、前記充電回路のインピーダンスが異常であるか否かを確定し、前記充電回路のインピーダンスが異常である場合、前記充電回路を制御し、保護状態に進入させるのに用いられ、
前記充電回路のインピーダンスに異常が発生した時、前記通信ユニットは、前記ＵＳＢインターフェースにおけるデータケーブルに基づいて、前記電源アダプターに充電保護指示情報を送信し、前記電源アダプターに前記充電回路を制御し、保護状態に進入させることを指示し、
前記保護状態としては、前記異常処理ユニットが電源アダプターの入力電圧を下げることと、前記異常処理ユニットが電源アダプターの入力電流を下げることである、
ことを特徴とする端末。
【請求項２】
前記異常処理ユニットは、前記入力電圧と前記出力電圧との差値に基づいて、前記充電回路のインピーダンスが異常であるか否かを確定し、前記充電回路のインピーダンスが異常である場合、前記充電回路を制御し、保護状態に進入させるのに用いられることは、具体的に、
前記異常処理ユニットは、前記差値に基づいて、前記インピーダンスのレベルを確定し、
前記異常処理ユニットは、前記インピーダンスのレベルに基づいて、前記充電回路を制御し、当該レベルに対応する保護状態に進入させることを含む、
ことを特徴とする請求項１に記載の端末。
【請求項３】
前記端末の電池に印加された入力電圧の検出位置は、各々前記充電インターフェースの両端に位置され、前記充電回路のインピーダンスは、具体的には、前記充電インターフェースにおける線路のインピーダンスを指す、
ことを特徴とする請求項１又は２に記載の端末。
【請求項４】
前記端末の電池に印加された入力電圧の検出位置は、前記端末の電池の両端に位置され、前記充電回路のインピーダンスは、具体的には、前記電源アダプターから前記端末の電池までの線路のインピーダンスを指す、
ことを特徴とする請求項１又は２に記載の端末。
【請求項５】
前記端末は、警報装置を更に含み、
当該警報装置は、前記充電回路のインピーダンスが異常である場合、警報信号を生成するのに用いられる、
ことを特徴とする請求項１又は２に記載の端末。
【請求項６】
前記充電インターフェースは、電源線を含み、
前記端末は、前記充電インターフェースを介して、電源アダプターと充電回路を形成し、前記電池に対して充電を行うことは、具体的に、
前記端末は、前記充電インターフェースにおける電源線を介して、前記電源アダプターと充電回路を形成し、前記電池に対して充電を行うことを含む、
ことを特徴とする請求項１から５のいずれか一項に記載の端末。
【請求項７】
パワー変換ユニットと、充電インターフェースとを含み、前記充電インターフェースは、ＵＳＢインターフェースであり、前記パワー変換ユニットは、前記充電インターフェースを介して、端末と充電回路を形成し、前記端末の電池に対して充電を行う電源アダプターであって、
前記電源アダプターは、検出ユニットと、通信ユニットと、異常処理ユニットとを更に含み、
前記電源アダプターが前記端末に対して充電を行う時、前記検出ユニットは、前記電源アダプターの出力電圧を検出し、
前記通信ユニットは、前記ＵＳＢインターフェースにおけるデータケーブルに基づいて、前記端末に電圧指示情報を送信し、前記電圧指示情報は、前記検出ユニットにより検出された前記電源アダプターの出力電圧を指示し、
前記端末が前記電源アダプターの出力電圧と前記電源アダプターの出力電圧により前記端末の電池に印加された入力電圧との差値に基づいて、前記充電回路のインピーダンスに異常が発生したと確定した時、前記通信ユニットは、前記ＵＳＢインターフェースにおけるデータケーブルに基づいて、前記端末から充電保護指示情報を受信し、
前記異常処理ユニットは、前記充電保護指示情報の指示に基づいて、前記充電回路を制御し、保護状態に進入させ、
前記保護状態としては、前記異常処理ユニットが電源アダプターの入力電圧を下げることと、前記異常処理ユニットが電源アダプターの入力電流を下げることである、
ことを特徴とする電源アダプター。
【請求項８】
前記充電インターフェースは、電源線を含み、
前記パワー変換ユニットは、前記充電インターフェースを介して、端末と充電回路を形成し、前記端末の電池に対して充電を行うことは、具体的に、
前記パワー変換ユニットは、前記充電インターフェースにおける電源線を介して、端末と充電回路を形成し、前記端末の電池に対して充電を行うことを含む、
ことを特徴とする請求項７に記載の電源アダプター。
【請求項９】
前記電源アダプターは、警報装置を更に含み、
当該警報装置は、前記充電回路のインピーダンスが異常である場合、警報信号を生成するのに用いられる、
ことを特徴とする請求項７又は８に記載の電源アダプター。
【請求項１０】
充電回路のインピーダンス異常の処理方法であって、 
電源アダプターが端末に対して充電を行う時、前記端末は、前記端末のＵＳＢインターフェースにおけるデータケーブルと前記電源アダプターとの通信に基づいて前記電源アダプターから電圧指示情報を受信し、前記電圧指示情報は、前記電源アダプターの出力電圧を指示し、
前記端末は、前記電源アダプターの出力電圧により前記端末の電池に印加された入力電圧を検出し、
前記端末は、前記入力電圧と前記出力電圧との差値に基づいて、前記充電回路のインピーダンスが異常であるか否かを確定し、前記充電回路のインピーダンスが異常である場合、前記端末は、前記ＵＳＢインターフェースにおけるデータケーブルに基づいて、前記電源アダプターに充電保護指示情報を送信し、前記電源アダプターを指示して前記充電回路が保護状態に進入するように制御し、
前記保護状態としては、異常処理ユニットが電源アダプターの入力電圧を下げることと、前記異常処理ユニットが電源アダプターの入力電流を下げることである、
ことを含むことを特徴とする方法。
【請求項１１】
前記端末は、前記入力電圧と前記出力電圧との差値に基づいて、前記充電回路のインピーダンスが異常であるか否かを確定し、前記充電回路のインピーダンスが異常である場合、前記充電回路を制御し、保護状態に進入させることは、
前記端末は、前記差値に基づいて、前記インピーダンスのレベルを確定し、
前記端末は、前記インピーダンスのレベルに基づいて、前記充電回路を制御し、当該レベルに対応する保護状態に進入させることを含む、
ことを特徴とする請求項１０に記載の方法。
【請求項１２】
前記端末の電池に印加された入力電圧の検出位置は、各々充電インターフェースの両端に位置され、前記充電回路のインピーダンスは、具体的には、前記充電インターフェースにおける線路のインピーダンスを指す、
ことを特徴とする請求項１０又は１１に記載の方法。 
【請求項１３】
前記端末の電池に印加された入力電圧の検出位置は、前記端末の電池の両端に位置され、前記充電回路のインピーダンスは、具体的には、前記電源アダプターから前記端末の電池までの線路のインピーダンスを指す、
ことを特徴とする請求項１０又は１１に記載の方法。 
【請求項１４】
前記方法は、 
前記充電回路のインピーダンスが異常である場合、前記端末は警報信号を生成することを更に含む、
ことを特徴とする請求項１０から１３のいずれか一項に記載の方法。 
【請求項１５】
前記端末の充電インターフェースは、電源線を含み、前記電源アダプターは、前記電源線を介して、前記端末に対して充電を行う、
ことを特徴とする請求項１０から１４のいずれか一項に記載の方法。
【請求項１６】
充電回路のインピーダンス異常の処理方法であって、
電源アダプターが端末に対して充電を行う時、前記電源アダプターは、前記電源アダプターの出力電圧を検出し、
前記電源アダプターは、前記電源アダプターのＵＳＢインターフェースにおけるデータケーブルに基づいて、前記端末に電圧指示情報を送信し、前記電圧指示情報は、前記電源アダプターにより検出された前記電源アダプターの出力電圧を指示し、
前記端末が前記電源アダプターの出力電圧と前記電源アダプターの出力電圧により前記端末の電池に印加された入力電圧との差値に基づいて、前記充電回路のインピーダンスに異常が発生したと確定した時、前記電源アダプターは、前記ＵＳＢインターフェースにおけるデータケーブルに基づいて、前記端末から充電保護指示情報を受信し、
前記電源アダプターは、前記充電保護指示情報の指示に基づいて、前記充電回路を制御し、保護状態に進入させ、 
前記保護状態としては、異常処理ユニットが電源アダプターの入力電圧を下げることと、前記異常処理ユニットが電源アダプターの入力電流を下げることである、
ことを含むことを特徴とする方法。
【請求項１７】
充電インターフェースは、電源線を含み、前記電源アダプターは、前記充電インターフェースにおける電源線を介して、前記端末に対する充電を行う、
ことを特徴とする請求項１６に記載の方法。
【請求項１８】
前記方法は、前記充電回路のインピーダンスが異常である場合、警報信号を生成することを更に含む、
ことを特徴とする請求項１６又は１７に記載の方法。
【発明の詳細な説明】
【技術分野】
【０００１】
本発明の実施例は、充電に関し、且つ更に具体的には、電源アダプター、端末及び充電回路のインピーダンス異常の処理方法に関する。
【背景技術】
【０００２】
現在、多数の電子設備における電池は、電子設備の充電インタフェースを介して、外部の電源アダプターに接続されることにより、充電を実現している。
【０００３】
充電過程において、しばしば充電回路のインピーダンス異常の現象が発生しているが、インピーダンス異常が発生する原因は様々であり、例えば、充電インタフェースにしっかり差し込んでないせいで接触不良を招くとか、電池両端における汚れが電池と電池両端とのコネクターの接触不良を招くとか等である。
【０００４】
充電回路のインピーダンスに異常が発生する場合、若し続いて充電を行うと、電池や、電源アダプターや、端末などの充電装置を破損し、安全危険が存在する。従来の技術では充電回路のインピーダンス異常に対する検出及び処理ができなく、充電過程における安全性が低い方である。
【発明の概要】
【発明が解決しようとする課題】
【０００５】
本発明の実施例は、電源アダプター、端末及び充電回路のインピーダンス異常の処理方法を提供することにより、充電過程における安全性を向上させる。
【課題を解決するための手段】
【０００６】
第１の方面としては、端末を提供する。当該端末は、電池と、充電インタフェースとを含み、前記端末は、前記充電インタフェースを介して、電源アダプターと充電回路を形成し、前記電池に対して充電を行う。前記端末は、通信ユニットと、検出ユニットと、異常処理ユニットとを更に含む。前記通信ユニットは、前記電源アダプターが前記端末に対して充電を行う時、前記電源アダプターから電圧指示情報を受信するのに用いられ、前記電圧指示情報は、前記電源アダプターの出力電圧を指示するのに用いられる。前記検出ユニットは、前記電源アダプターの入力電圧を検出するのに用いられる。前記異常処理ユニットは、前記入力電圧と前記出力電圧との差値に基づいて、前記充電回路のインピーダンスが異常であるか否かを確定し、前記充電回路のインピーダンスが異常である場合、前記充電回路を制御し、保護状態に進入させるのに用いられる。
【０００７】
第１の方面を結合して、在第１の方面の実施形態において、前記異常処理ユニットは、前記入力電圧と前記出力電圧との差値に基づいて、前記充電回路のインピーダンスが異常であるか否かを確定し、前記充電回路のインピーダンスが異常である場合、前記充電回路を制御し、保護状態に進入させるのに用いられることは、具体的には、前記異常処理ユニットは、前記差値に基づいて、前記インピーダンスのレベルを確定し、前記異常処理ユニットは、前記インピーダンスのレベルに基づいて、前記充電回路を制御し、当該レベルに対応する保護状態に進入させることを含む。
【０００８】
第１の方面或いはその上記の実施形態の中での任意の一つを結合して、第１の方面のもう一つの実施形態において、前記電源アダプターの力電圧及び前記電源アダプターの出力電圧の検出位置は、各々前記充電インタフェースの両端に位置され、前記充電回路のインピーダンスは、具体的には、前記充電インタフェースにおける線路のインピーダンスを指す。
【０００９】
第１の方面或いはその上記の実施形態の中での任意の一つを結合して、第１の方面のもう一つの実施形態において、前記電源アダプターの入力電圧の検出位置は、前記端末の電池の両端に位置され、前記充電回路のインピーダンスは、具体的には、前記電源アダプターから前記端末の電池までの線路のインピーダンスを指す。
【００１０】
第１の方面或いはその上記の実施形態の中での任意の一つを結合して、第１の方面のもう一つの実施形態において、前記端末は、警報装置を更に含み、前記警報装置は、前記充電回路のインピーダンスが異常である場合、警報信号を生成するのに用いられる。
【００１１】
第１の方面或いはその上記の実施形態の中での任意の一つを結合して、第１の方面のもう一つの実施形態において、前記充電回路のインピーダンスに異常が発生した時、前記通信ユニットは、前記電源アダプターに充電保護指示情報を送信し、前記電源アダプターに前記充電回路を制御し、保護状態に進入させることを指示する。
【００１２】
第１の方面或いはその上記の実施形態の中での任意の一つを結合して、第１の方面のもう一つの実施形態において、前記充電インタフェースは、電源線と、データケーブルとを含む。前記端末は、前記充電インタフェースを介して、電源アダプターと充電回路を形成し、前記電池に対して充電を行うことは、具体的には、前記端末は、前記充電インタフェースにおける電源線を介して、前記電源アダプターと充電回路を形成し、前記電池に対して充電を行うことを含む。前記通信ユニットは、前記電源アダプターから電圧指示情報を受信することは、具体的には、前記通信ユニットは、前記充電インタフェースにおけるデータケーブルを介して、前記電源アダプターから前記電圧指示情報を受信することを含む。
【００１３】
第２の方面としては、電源アダプターを提供する。前記電源アダプターは、パワー変換ユニットと充電インタフェースとを含む。前記パワー変換ユニットは、前記充電インタフェースを介して、端末と充電回路を形成し、前記端末の電池に対して充電を行う。前記電源アダプターは、検出ユニットと、通信ユニットと、異常処理ユニットとを更に含む。その中で、前記電源アダプターが前記端末に対して充電を行う時、前記検出ユニットは、前記電源アダプターの出力電圧を検出する。前記通信ユニットは、前記端末に電圧指示情報を送信し、前記電圧指示情報は、前記検出ユニットが検出した前記電源アダプターの出力電圧を指示する。前記端末が前記電源アダプターの出力電圧と前記電源アダプターの入力電圧との差値に基づいて、前記充電回路のインピーダンスに異常が発生したと確定した時、前記通信ユニットは、前記端末から充電保護指示情報を受信し、前記異常処理ユニットは、前記充電保護指示情報的指示に基づいて、前記充電回路を制御し、保護状態に進入させる。
【００１４】
第２の方面を結合して、第２の方面の実施形態において、前記充電インタフェースは、電源線と、データケーブルとを含む。前記パワー変換ユニットは、前記充電インタフェースを介して、端末と充電回路を形成し、前記端末の電池に対して充電を行うことは、具体的には、前記パワー変換ユニットは、前記充電インタフェースにおける電源線を介して、端末と充電回路を形成し、前記端末の電池に対して充電を行うことを含む。前記通信ユニットは、前記端末に電圧指示情報を送信することは、具体的には、前記通信ユニットは、前記充電インタフェースにおけるデータケーブルを介して、前記端末に前記電圧指示情報を送信することを含む。
【００１５】
第２の方面或いはその上記の実施形態の中での任意の一つを結合して、第２の方面のもう一つの実施形態において、前記電源アダプターの入力電圧及び前記電源アダプターの出力電圧の検出位置は、各々前記充電インタフェースの両端に位置され、前記充電回路のインピーダンスは、具体的には、前記充電インタフェースにおける線路のインピーダンスを指す。
【００１６】
第２の方面或いはその上記の実施形態の中での任意の一つを結合して、第２の方面のもう一つの実施形態において、前記電源アダプターの入力電圧の検出位置は、前記端末の電池の両端に位置され、前記充電回路のインピーダンスは、具体的には、前記電源アダプターから前記端末の電池までの線路のインピーダンスを指す。
【００１７】
第２の方面或いはその上記の実施形態の中での任意の一つを結合して、第２の方面のもう一つの実施形態において、前記電源アダプターは、警報装置を更に含む。前記警報装置は、当前記充電回路のインピーダンスに異常が発生した時、警報信号を生成するのに用いられる。
【００１８】
第３の方面としては、充電回路のインピーダンス異常の処理方法を提供する。前記充電回路のインピーダンス異常の処理方法は、電源アダプターが端末に対して充電を行う時、前記端末は、前記電源アダプターから電圧指示情報を受信し、前記電圧指示情報は、前記電源アダプターの出力電圧を指示し、前記端末は、前記電源アダプターの入力電圧を検出し、前記端末は、前記入力電圧と前記出力電圧との差値に基づいて、前記充電回路のインピーダンスが異常であるか否かを確定し、前記充電回路のインピーダンスが異常である場合、前記充電回路を制御し、保護状態に進入させることを含む。
【００１９】
第３の方面を結合して、第３の方面の一つの実施形態において、前記端末は、前記入力電圧と前記出力電圧との差値に基づいて、前記充電回路のインピーダンスが異常であるか否かを確定し、前記充電回路のインピーダンスが異常である場合、前記充電回路を制御し、保護状態に進入させることは、前記端末は、前記差値に基づいて、前記インピーダンスのレベルを確定し、前記端末は、前記インピーダンスのレベルに基づいて、前記充電回路を制御し、当該レベルに対応する保護状態に進入させることを含む。
【００２０】
第３の方面或いはその上記の実施形態中での任意の一つを結合して、第３の方面のもう一つの実施形態において、前記電源アダプターの入力電圧及び前記電源アダプターの出力電圧の検出位置は、各々前記充電インタフェースの両端に位置され、前記充電回路のインピーダンスは、具体的には、前記充電インタフェースにおける線路のインピーダンスを指す。
【００２１】
第３の方面或いはその上記の実施形態中での任意の一つを結合して、第３の方面のもう一つの実施形態において、前記電源アダプターの入力電圧の検出位置は、前記端末の電池の両端に位置され、前記充電回路のインピーダンスは、具体的には、前記電源アダプターから前記端末の電池までの線路のインピーダンスを指す。
【００２２】
第３の方面或いはその上記の実施形態中での任意の一つを結合して、第３の方面のもう一つの実施形態において、前記方法は、前記充電回路のインピーダンスが異常である場合、前記端末は、警報信号を生成することを更に含む。
【００２３】
第３の方面或いはその上記の実施形態中での任意の一つを結合して、第３の方面のもう一つの実施形態において、前記方法は、前記充電回路のインピーダンスに異常が発生した時、前記端末は、前記電源アダプターに充電保護指示情報を送信し、前記電源アダプターに前記充電回路を制御し、保護状態に進入させることを指示することを更に含む。
【００２４】
第３の方面或いはその上記の実施形態中での任意の一つを結合して、第３の方面のもう一つの実施形態において、前記充電インタフェースは、電源線と、データケーブルとを含む。前記電源アダプターは、前記電源線を介して、前記端末に対する充電を行い、前記端末は、前記電源アダプターから電圧指示情報を受信することは、前記端末は、前記充電インタフェースにおけるデータケーブルを介して、前記電源アダプターから前記電圧指示情報を受信することを含む。
【００２５】
第４の方面としては、充電回路のインピーダンス異常の処理方法を提供する。前記充電回路のインピーダンス異常の処理方法は、電源アダプターが端末に対して充電を行う時、前記電源アダプターは、前記電源アダプターの出力電圧を検出し、前記電源アダプターは、前記端末に電圧指示情報を送信し、前記電圧指示情報は、前記電源アダプターが検出した前記電源アダプターの出力電圧を指示し、前記端末が前記電源アダプターの出力電圧と前記電源アダプターの入力電圧との差値に基づいて、前記充電回路のインピーダンスに異常が発生したと確定した時、前記電源アダプターは、前記端末から充電保護指示情報を受信し、前記電源アダプターは、前記充電保護指示情報の指示に基づいて、前記充電回路を制御し、保護状態に進入させることを含む。
【００２６】
第４の方面を結合して、第４の方面の一つの実施形態において、前記充電インタフェースは、電源線と、データケーブルとを含み、前記電源アダプターは、前記充電インタフェースにおける電源線を介して、前記端末に対する充電を行い、前記電源アダプターは、前記端末に電圧指示情報を送信することは、前記電源アダプターは、前記充電インタフェースにおけるデータケーブルを介して、前記端末に前記電圧指示情報を送信することを含む。
【００２７】
第４の方面或いはその上記の実施形態の中での任意の一つを結合して、第４の方面のもう一つの実現形態において、前記電源アダプターの入力電圧及び前記電源アダプターの出力電圧の検出位置は、各々前記充電インタフェースの両端に位置され、前記充電回路のインピーダンスは、具体的には、前記充電インタフェースにおける線路のインピーダンスを指す。
【００２８】
第４の方面或いはその上記の実施形態の中での任意の一つを結合して、第４の方面のもう一つの実施形態において、前記電源アダプターの入力電圧の検出位置は、前記端末の電池の両端に位置され、前記充電回路のインピーダンスは、具体的には、前記電源アダプターから前記端末の電池までの線路のインピーダンスを指す。
【００２９】
第４の方面或いはその上記の実施形態の中での任意の一つを結合して、第４の方面のもう一つの実施形態において、前記方法は、前記充電回路のインピーダンスが異常である場合、警報信号を生成することを更に含む。
【発明の効果】
【００３０】
本発明の実施例において、端末は、電源アダプターとの通信を介して、電源アダプターの出力電圧を取得し、端末は、電源アダプターの出力電圧と自身が検出した電源アダプターの入力電圧との差値に基づいて、充電回路のインピーダンスに異常が発生したか否かを確定し、充電回路のインピーダンスに異常が発生した時、充電回路を制御し、保護状態に進入させることにより、充電過程における安全性を向上させる。
【図面の簡単な説明】
【００３１】
本発明の実施例の技術案をより明らかに説明するために、以下、本発明の実施例に必要な図面に対する簡単な紹介を行うことにする。理解できるのは、下記の説明はただ本発明の一部の実施例であり、当業者であれば、創造的な労働を行わない前提で、これらの図面に基づいて他の図面を更に取得することができる。
【図１】本発明の実施例における端末の例示的なブロック図である。
【図２】本発明の実施例における電源アダプターの例示的なブロック図である。
【図３】本発明の実施例における充電回路のインピーダンス異常の処理方法の例示的なフローチャートである。
【図４】本発明の実施例における充電回路のインピーダンス異常の処理方法の例示的なフローチャートである。
【発明を実施するための形態】
【００３２】
以下、本発明の実施例における図面を結合しながら、本発明の実施例における技術案をより明らかに、且つ全面的に説明することにする。理解できるのは、説明される実施例は、本発明の一部の実施例であり、全部の実施例ではない。本発明における実施例に基づいて、当業者により創造的な労働を行わない前提で取得されたすべての他の実施例は、いずれも本発明の保護範囲に属する。
【００３３】
図１は、本発明の実施例における端末の例示的なブロック図である。図１の端末１０は、電池１１と、充電インタフェース１２とを含む。端末１０は、充電インタフェース１２を介して、電源アダプターと充電回路を形成し、電池１１に対して充電を行う。端末１０は、通信ユニット１３と、検出ユニット１４と、異常処理ユニット１５とを更に含む。
【００３４】
通信ユニット１３は、電源アダプターが端末に対して充電を行う時、電源アダプターから電圧指示情報を受信し、電圧指示情報は、端末が検出した電源アダプターの出力電圧を指示するのに用いられる。
【００３５】
検出ユニット１４は、電源アダプターの入力電圧を検出するのに用いられる。
【００３６】
異常処理ユニット１５は、入力電圧と出力電圧との差値に基づいて、充電回路のインピーダンスが異常であるか否かを確定し、充電回路のインピーダンスが異常である場合、充電回路を制御し、保護状態に進入させるのに用いられる。
【００３７】
本発明の実施例において、端末は、電源アダプターとの通信を介して、電源アダプターの出力電圧を取得し、端末は、電源アダプターの出力電圧と自身が検出した電源アダプターの入力電圧との差値に基づいて、充電回路のインピーダンスに異常が発生したか否かを確定し、充電回路のインピーダンスに異常が発生した時、充電回路を制御し、保護状態に進入させることにより、充電過程における安全性を向上させる。
【００３８】
理解すべきことは、上記の異常処理ユニット１５は、充電回路を制御し、保護状態に進入させるには、異常処理ユニット１５は、電源アダプターの入力電圧を下げること、異常処理ユニット１５が電源アダプターの入力電流を下げること、或いは異常処理ユニット１５が充電回路を遮断させることを含むことができるということである。
【００３９】
選択可能には、一つの実施例として、上記の異常処理ユニット１５は、入力電圧と出力電圧との差値に基づいて、充電回路のインピーダンスが異常であるか否かを確定し、充電回路のインピーダンスが異常である場合、充電回路を制御し、保護状態に進入させることは、具体的には、異常処理ユニット１５は、電源アダプターの入力電圧と出力電圧との差値に基づいて、充電回路のインピーダンスのレベルを確定し、異常処理ユニット１５は、当該インピーダンスのレベルに基づいて、充電回路を制御し、当該レベルに対応する保護状態に進入させることを含むことができる。
【００４０】
例えば、電源アダプターの入力電圧と出力電圧との差値とインピーダンスレベルとの対応関係を予め設定することができ、異常処理ユニット１５が出電源アダプターの入力電圧と電源アダプターの出力電圧との実際の差値を確定した時、上記の対応関係を利用して当該実際の差値に対応するインピーダンスレベルを見つけられる。異なるインピーダンスレベルは、異なる保護状態に対応されることができ、例えば、インピーダンスレベルは、「低い」、「普通」、「高い」に分かれる。インピーダンスレベルが「低い」である場合、充電回路を制御して、続いて大電流で充電を行わせることができ、インピーダンスレベルが「普通」である場合、充電回路を制御して、小電流で充電を行わせることができ、インピーダンスレベルが「高い」である場合、充電回路が遮断されるように制御できる。
【００４１】
説明すべきことは、本発明の実施例は、電源アダプターが出力電圧を検出する位置及び端末電源アダプターの入力電圧を検出する位置に対する具体的な限定をせず、異なる需要に基づいて定められることができるということである。
【００４２】
例えば、電源アダプターの入力電圧及び電源アダプターの出力電圧の検出位置は、各々充電インタフェースの両端に位置され、充電回路のインピーダンスは、具体的には、充電インタフェースにおける線路のインピーダンスを指す。上記の電源アダプターの入力電圧及び電源アダプターの出力電圧の検出位置は、各々充電インタフェースの両端に位置されることは、具体的には、電源アダプターが出力電圧を検出する位置及び端末が電源アダプター入力電圧を検出する位置は、両方を接続させる充電インタフェースに近づいていることを指し、両方が検出した電圧の低下が異常である場合、充電インタフェースにおける線路インピーダンスの異常のせいでもたらされたと推論できる。
【００４３】
別の例として、電源アダプターの入力電圧の検出位置は、電池の両端に位置され、充電回路のインピーダンスは、具体的には、電源アダプターから端末の電池までの線路のインピーダンスを指す。電源アダプターの入力電流は、端末における各装置を経て、最終的に電池の両端に達するため、端末が電池の両端で電源アダプターの入力電圧を検出する時、電源アダプターの入力電圧と出力電圧との差値は、充電回路全体のインピーダンスを指示できる。
【００４４】
選択可能には、一つの実施例として、端末１０は、警報装置を更に含むことができる。当該警報装置は、充電回路のインピーダンスが異常である場合、警報信号を生成するのに用いられる。当該警報装置は、音声警報装置であってもよいし、インジケータランプであってもよい。充電回路のインピーダンスは、充電インタフェースにおける線路のインピーダンスである場合を例として、警報装置が警報を発する時、当該充電インタフェースの接触不良であることを表し、ユーザに電源アダプターと端末との間の充電インタフェースを接続し直すように気づかせることができる。
【００４５】
選択可能には、一つの実施例として、充電回路のインピーダンスに異常が発生した時、通信ユニット１３は、電源アダプターに充電保護指示情報を送信し、電源アダプターに充電回路を制御し、保護状態に進入させることを指示する。
【００４６】
本発明の実施例において、充電回路のインピーダンスに異常が発生した時、端末は、主動的に充電回路を制御し、保護状態に進入させるばかりでなく、電源アダプターにも充電回路を制御することを通知し、保護状態に進入させる。これにより、たとえ端末の異常処理ユニットが失効され、充電回路を制御して保護状態に進入させることができなくなったとしても、依然として電源アダプターにより充電回路を制御し、保護状態に進入させることができ、充電過程における安全性を更に向上させる。
【００４７】
選択可能には、一つの実施例として、充電インタフェース１２は、電源線と、データケーブルとを含むことができる。端末１０は、充電インタフェース１２を介して、電源アダプターと充電回路を形成し、電池に対して充電を行うことは、具体的には、端末１０は、充電インタフェース１２における電源線を介して、電源アダプターと充電回路を形成し、電池１１に対して充電を行うことを含む。通信ユニット１３は、電源アダプター１０が端末に対して充電を行う時、端末から電圧指示情報を受信するのに用いられることは、具体的には、通信ユニット１３は、充電インタフェース１２におけるデータケーブルを介して、電源アダプターから電圧指示情報を受信することを含む。
【００４８】
例えば、充電インタフェースは、ＵＳＢ(Ｕｎｉｖｅｒｓａｌ  Ｓｅｒｉａｌ  Ｂｕｓ、ユニバーサルシリアルバス)インタフェース或いはｍｉｃｒｏ ＵＳＢインタフェースであり、上記の電源線は、ＵＳＢインタフェースにおける電源線、例えば、＋５Ｖ及び−５Ｖ電源線等であり、上記のデータケーブルは、ＵＳＢインタフェースにおけるデータケーブル、例えば、Ｄ＋線及びＤ−線などである。
【００４９】
図２は、本発明の実施例における電源アダプターの例示的なブロック図である。図２の電源アダプター２０は、パワー変換ユニット２１と、充電インタフェース２２とを含む。パワー変換ユニット２１は、充電インタフェース２２を介して、端末と充電回路を形成し、端末の電池に対して充電を行う。電源アダプター２０は、検出ユニット２３と、通信ユニット２４と、異常処理ユニット２５とを更に含む。
【００５０】
電源アダプター２０が端末に対して充電を行う時、検出ユニット２３は、電源アダプターの出力電圧を検出する。
【００５１】
通信ユニット２４は、端末に電圧指示情報を送信し、電圧指示情報は、検出ユニット２３が検出した電源アダプターの出力電圧を指示する。
【００５２】
端末が電源アダプター２０の出力電圧と電源アダプター２０の入力電圧との差値に基づいて、充電回路のインピーダンスに異常が発生したと確定した時、通信ユニット２４は、端末から充電保護指示情報を受信する。
【００５３】
異常処理ユニット２５は、充電保護指示情報の指示に基づいて、充電回路を制御し、保護状態に進入させる。
【００５４】
本発明の実施例において、電源アダプターは、充電過程で端末との通信を行い、端末に自分が検出した電源アダプターの出力電圧を送信することにより、端末が電源アダプターの出力電圧と自分が検出した電源アダプターの入力電圧との差値に基づいて、充電回路のインピーダンスに異常が発生したか否かを確定するようにする。充電回路のインピーダンスに異常が発生した時、電源アダプターは、端末から充電保護指示情報を受信してから、充電回路を制御し、保護状態に進入させることにより、充電過程における安全性を向上させる。
【００５５】
選択可能には、一つの実施例として、充電インタフェース２２は、電源線と、データケーブルとを含む。パワー変換ユニット２１は、充電インタフェース２２を介して、端末と充電回路を形成し、端末の電池に対して充電を行うことは、具体的には、パワー変換ユニット２１は、充電インタフェース２２における電源線を介して、端末と充電回路を形成し、端末の電池に対して充電を行うことを含む。通信ユニット２４が端末に電圧指示情報を送信することは、具体的は、通信ユニット２４は、充電インタフェース２２におけるデータケーブルを介して、端末に電圧指示情報を送信することを含む。
【００５６】
例えば、充電インタフェースは、ＵＳＢ(Ｕｎｉｖｅｒｓａｌ  Ｓｅｒｉａｌ  Ｂｕｓ、ユニバーサルシリアルバス)インタフェース或いはｍｉｃｒｏ ＵＳＢインタフェースであり、上記の電源線は、ＵＳＢインタフェースにおける電源線、例えば、＋５Ｖ及び−５Ｖ電源線等であり、上記のデータケーブルは、ＵＳＢインタフェースにおけるデータケーブル、例えば、Ｄ＋線及びＤ−線などである。
【００５７】
説明すべきことは、本発明の実施例は、電源アダプターがその出力電圧を検出する位置及び端末が電源アダプターの入力電圧を検出する位置に対する具体的な限定をせず、異なる需要に基づいて定められることができるということである。
【００５８】
例えば、電源アダプターの入力電圧及び電源アダプターの出力電圧の検出位置は、各々充電インタフェースの両端に位置され、充電回路のインピーダンスは、具体的には、充電インタフェースにおける線路のインピーダンスを指す。上記の電源アダプターの入力電圧及び電源アダプターの出力電圧の検出位置は、各々充電インタフェースの両端に位置されることは、具体的には、電源アダプターが出力電圧を検出する位置及び端末が電源アダプター入力電圧を検出する位置は、両方を接続させる充電インタフェースに近づいていることを指す。両方が検出した電圧の低下が異常である場合、充電インタフェースにおける線路の異常のせいでもたらされたと推論できる。
【００５９】
別の例として、電源アダプターの入力電圧の検出位置は電池の両端に位置され、充電回路のインピーダンスは、具体的には、電源アダプターから端末の電池までの線路のインピーダンスを指す。電源アダプターの入力電流は、端末における各装置を経て、最終的に電池の両端に達するため、端末が電池の両端で電源アダプターの入力電圧を検出する時、電源アダプターの入力電圧と出力電圧との差値は、充電回路全体のインピーダンスに異常が発生したか否かを指示できる。
【００６０】
選択可能には、一つの実施例として、電源アダプター２０は、警報装置を更に含む。当該警報装置は、充電回路のインピーダンスが異常である場合、警報信号を生成するのに用いられる。当該警報装置は、音声警報装置であってもよいし、インジケータランプであってもよい。充電回路のインピーダンスは、充電インタフェースにおける線路のインピーダンスである場合を例として、警報装置が警報を発する場合、当該充電インタフェースが接触不良であることを表し、ユーザに電源アダプターと端末との間の充電インタフェースを接続し直すように気づかせる。
【００６１】
図３は、本発明の実施例の充電回路のインピーダンス異常の処理方法の例示的なフローチャートである。理解すべきことは、図３の方法は、図１が示す端末により実行でき、重複を避けるために、ここでは詳細に記述しないことにする。図３の方法は、下記のステップ３１０〜３３０を含む。
【００６２】
ステップ３１０：電源アダプターが端末に対して充電を行う時、端末は、電源アダプターから電圧指示情報を受信し、電圧指示情報は電源アダプターの出力電圧を指示する。
【００６３】
ステップ３２０：端末は、電源アダプターの入力電圧を検出する。
【００６４】
ステップ３３０：端末は、入力電圧と出力電圧との差値に基づいて、充電回路のインピーダンスが異常であるか否かを確定し、充電回路のインピーダンスが異常である場合、充電回路を制御し、保護状態に進入させる。
【００６５】
本発明の実施例において、端末は、電源アダプターとの通信を介して、電源アダプターの出力電圧を取得し、端末は、電源アダプターの出力電圧と自身が検出した電源アダプターの入力電圧との差値に基づいて、充電回路のインピーダンスに異常が発生したか否かを確定し、充電回路のインピーダンスに異常が発生した時、充電回路を制御し、保護状態に進入させることにより、充電過程における安全性を向上させる。
【００６６】
選択可能には、一つの実施例として、端末は、入力電圧と出力電圧との差値に基づいて、充電回路のインピーダンスが異常であるか否かを確定し、充電回路のインピーダンスが異常である場合、充電回路を制御し、保護状態に進入させることは、端末は、差値に基づいて、インピーダンスのレベルを確定し、端末は、インピーダンスのレベルに基づいて、充電回路を制御し、当該レベルに対応する保護状態に進入させることを含む。
【００６７】
選択可能には、一つの実施例として、電源アダプターの入力電圧及び電源アダプターの出力電圧の検出位置は、各々充電インタフェースの両端に位置され、充電回路のインピーダンスは、具体的には、充電インタフェースにおける線路のインピーダンスを指す。
【００６８】
選択可能には、一つの実施例として、電源アダプターの入力電圧の検出位置は、端末の電池の両端に位置され、充電回路のインピーダンスは、具体的には、電源アダプターから端末の電池までの線路のインピーダンスを指す。
【００６９】
選択可能には、一つの実施例として、図３の方法は、充電回路のインピーダンスが異常である場合、端末警報信号を生成することを更に含む。
【００７０】
選択可能には、一つの実施例として、図３の方法は、充電回路のインピーダンスに異常が発生した時、端末は、電源アダプターに充電保護指示情報を送信し、電源アダプターに充電回路を制御し、保護状態に進入させることを指示することを更に含む。
【００７１】
選択可能には、一つの実施例として、充電インタフェースは、電源線と、データケーブルとを含む。電源アダプターは、電源線を介して、端末に対する充電を行い、端末は、電源アダプターから電圧指示情報を受信することは、端末は、充電インタフェースにおけるデータケーブルを介して、電源アダプターから電圧指示情報を受信することを含む。
【００７２】
図４は、本発明の実施例における充電回路のインピーダンス異常の処理方法の例示的なフローチャートである。理解すべきことは、図４の方法は、図２における電源アダプターにより実行でき、重複を避けるために、ここでは、詳細に記述しないことにする。図４の方法は、ステップ４１０〜４４０を含む。
【００７３】
ステップ４１０：電源アダプターが端末に対して充電を行う時、電源アダプターは、電源アダプターの出力電圧を検出する。
【００７４】
ステップ４２０：電源アダプターは、端末に電圧指示情報を送信し、電圧指示情報は、電源アダプターが検出した電源アダプターの出力電圧を指示する。
【００７５】
ステップ４３０：端末が電源アダプターの出力電圧と電源アダプターの入力電圧との差値に基づいて、充電回路のインピーダンスに異常が発生したと確定した時、電源アダプターは、端末から充電保護指示情報を受信する。
【００７６】
４４０：電源アダプターは、充電保護指示情報の指示に基づいて、充電回路を制御し、保護状態に進入させる。
【００７７】
本発明の実施例において、電源アダプターは、充電過程で端末との通信を行い、端末に自分が検出した電源アダプターの出力電圧を送信することにより、端末が電源アダプターの出力電圧と自分が検出した電源アダプターの入力電圧との差値に基づいて、充電回路のインピーダンスに異常が発生したか否かを確定するようにする。充電回路のインピーダンスに異常が発生した時、電源アダプターは、端末から充電保護指示情報を受信してから、充電回路を制御し、保護状態に進入させることにより、充電過程における安全性を向上させる。
【００７８】
選択可能には、一つの実施例として、充電インタフェースは、電源線と、データケーブルとを含む。電源アダプターは、充電インタフェースにおける電源線を介して、端末に対する充電を行い、電源アダプターは、端末に電圧指示情報を送信することは、電源アダプターは、充電インタフェースにおけるデータケーブルを介して、端末に電圧指示情報を送信することを含む。
【００７９】
選択可能には、一つの実施例として、電源アダプターの入力電圧及び電源アダプターの出力電圧の検出位置は、各々充電インタフェースの両端に位置され、充電回路のインピーダンスは、具体的には、充電インタフェースにおける線路のインピーダンスを指す。
【００８０】
選択可能には、一つの実施例として、電源アダプターの入力電圧の検出位置は、端末の電池の両端に位置され、充電回路のインピーダンスは、具体的には、電源アダプターから端末の電池までの線路のインピーダンスを指す。
【００８１】
選択可能には、一つの実施例として、図４の方法は、充電回路のインピーダンスが異常である場合、警報信号を生成することを更に含む。
【００８２】
当業者にとって、本文において開示される実施例を結合しながら説明される各例示のユニット及びアルゴリズムステップは、電子ハードウェア、或いはコンピュータソフトウェア及び電子ハードウェアの結合によって実現できることが意識できる。これらの機能がハードウェアで実行されるか、それともソフトウェアの方式で実行されるかは、技術案の特定応用及び設計の制約条件によって決まる。専門の技術者であれば、個々の特定の応用に対して、異なる方法を使って説明された機能を実現することができるが、このような実現は、本発明の範囲を超えていると理解されてはいけない。
【００８３】
当業者にとって、説明を便利に又は簡便にするために、上記の説明におけるシステム、装置及びユニットの具体的な作業過程は、前述された方法の実施例における対応する過程を参照できることが明確に理解でき、ここでは、記述を繰り返さないことにする。
【００８４】
本出願が提供するいくつかの実施例において、理解すべきことは、掲示されたシステム、装置及び方法は、他の方式を介して実現できるということである。例えば、以上において説明された装置実施例は、ただ例示的なものであり、例えば、前記ユニットの区画は、ただロジック機能の区画であり、実際に実現される時、他の区画方式を備えることができ、例えば、複数のユニット或いはモジュールが別のもう一つのシステムに結合或いは集積されることができ、或いはある特徴は無視してもかまわなく、或いは実行しなくても差しさわりない。もう一つは、示された或いは討論された相互のカップリングや、直接カップリングや、通信接続は、いくつかのインタフェース、装置或いはユニットを通じた間接カップリング或いは通信接続であって可能であり、電気的、機械的或いは他の形式であって可能である。
【００８５】
前記の分離部材として説明されたユニットは、物理的に分かれていても、或いは物理的に分かれていなくてもいずれも可能であり、ユニットとして示された部材は、物理ユニットであっても、或いは物理ユニットでなくてもいずれも可能であり、即ち、一つの箇所に位置されても可能であり、或いは、いくつかのネットワークユニットに分布されていても可能である。実際の需要に基づいて、その中での一部或いは全部のユニットを選んで本実施例の方案の目的を実現できる。
【００８６】
その他、本発明の個々の実施例における各機能ユニットは、一つの処理ユニットに集積されてもよく、個々のユニットが単独に物理的に存在してもよく、又は二つ或いは二つ以上のユニットが一つのユニットの中に集積されていてもよい。
【００８７】
前記機能が若しソフトウェア機能ユニットの形式で実現され、且つ独立の製品として販売や使用される時、コンピュータの読み出し可能な記憶媒体に保存されることができる。このような理解に基づいて、本発明的技術案は、本質的に或いは従来の技術に対して貢献した部分或いは当該技術案の部分は、ソフトウェア製品の形式で具現できる。当該コンピュータ製品は、一つの記憶媒体に記憶され、一つのコンピュータ設備（パソコンや、サーバーや、ネットワーク設備等）が本発明の個々の実施例に記述された方法の全部或いは一部のステップを実行するように、いくつかの指令を含む。前記の記憶媒体は、ＵＳＢフラッシュディスク、モバイルハードディスク、読み出し専用メモリ(ＲＯＭ、Ｒｅａｄ  Ｏｎｌｙ  Ｍｅｍｏｒｙ)、ランダムアクセスメモリー(ＲＡＭ、Ｒａｎｄｏｍ  Ａｃｃｅｓｓ  Ｍｅｍｏｒｙ)、ディスク或いはＣＤなどのプログラムコードを記憶できる媒体を含む。
【００８８】
以上、記述された内容は、本発明の具体的な実施方式に過ぎず、本発明の保護範囲はこれらに限定されない。当業者であれば、本発明が掲示する技術範囲において、変更或いは切り替えを容易に案ずることができ、全部本発明の保護範囲に含まれるべきである。従って、本発明の保護範囲は、前記特許請求の範囲に準ずるべきである。
【図１】
0006320544.tif 000002
【図２】
0006320544.tif 000003
【図３】
0006320544.tif 000004
【図４】
0006320544.tif 000005